(57)【要約】【課題】腐食を防ぐために槽内面に経済的な部材を用い、その設置の際の手数を省き、かつ、作業完了後において、新設、補修に限らず、槽の内面や擁壁の裏面等の耐用性を長期に亘り維持することができるコンクリート用捨て型枠を提供すること。【解決手段】短冊状の合成樹脂製のシート状部材１と、鉄筋３に止着される基体２とからなり、シート状部材１の裏面に、基体２の凹部２０に嵌着係止する突条１０を、所定の間隔で複数設ける。【選択図】図１
2008127778.tif 000002
【特許請求の範囲】
【請求項１】
短冊状の合成樹脂製のシート状部材と、構造体側に止着される基体とからなり、前記シート状部材の裏面に、基体に嵌着係止する突条を、所定の間隔で複数設けたことを特徴とするコンクリート用捨て型枠。
【請求項２】
突条を二分割形状に形成してなることを特徴とする請求項１記載のコンクリート用捨て型枠。
【請求項３】
基体に、二分割形状に形成した突条間に挿入される突条又は突起を設けたことを特徴とする請求項２記載のコンクリート用捨て型枠。
【請求項４】
二分割形状に形成した突条間に、排水材を配設したことを特徴とする請求項２記載のコンクリート用捨て型枠。
【請求項５】
隣接するシート状部材の対向する縁部に、隣接するシート状部材の表面が面一の状態で係止される嵌合部を設けたことを特徴とする請求項１、２、３又は４記載のコンクリート用捨て型枠。
【請求項６】
隣接するシート状部材の対向する縁部を、連結材を介して接続するようにしたことを特徴とする請求項１、２、３、４又は５記載のコンクリート用捨て型枠。
【請求項７】
隣接するシート状部材の対向する縁部及び／又は連結材の周縁に、止水材又はシーリング材を配設したことを特徴とする請求項１、２、３、４、５又は６記載のコンクリート用捨て型枠。
【請求項８】
基体に、形鋼を用いたことを特徴とする請求項１、２、３、４、５、６又は７記載のコンクリート用捨て型枠。
【発明の詳細な説明】
【技術分野】
【０００１】
本発明は、上水や下水等の処理槽や擁壁の構築や補修に用いられるコンクリート用捨て型枠に関するものである。
【背景技術】
【０００２】
従来、上水や下水等の処理槽や擁壁の構築や補修には、コンクリート用捨て型枠が汎用されている（例えば、特許文献１及び２参照）。
【０００３】
このうち、特許文献１に記載のものは、方形板にその背後の透視が可能な透視部を設けてコンクリート用捨て型枠とするか、又は、方形板と方形板接続用の細長い背後の透視が可能な接続部材とでコンクリート用捨て型枠を構成し、透視部や接続部材を通じてコンクリートの打ち込み状態を監視できるようにし、さらに、方形板の裏面には、接合強度を高めるためのアンカー用凸条や、排水性を付与するための繊維層を付着するようにしている。
また、特許文献２に記載のものは、片面がコンクリート打設面となる堰板部と、堰板部の両側縁から堰板部のコンクリート打設面の反対側に直角に屈曲した側板部とを有するプラスチック製のコンクリート打設用型枠において、側板部の外側表面に、片側側面が堰板部のコンクリート打設面と同一平面とされた鉛直方向に延びる凸条部を突設し、凸条部の高さを、型枠を設置した際に凸条部に当接する締付部材の最大幅の半分以上とするようにしている。
【特許文献１】特開平１０−２１９８９５号公報
【特許文献２】特開２００３−３２１９３３号公報
【０００４】
ところで、特許文献１及び２に記載のものは、それぞれ所期の目的を達成できるものであるが、前者は、方形板の裏面に接合強度を高めるためのアンカー用凸条を付着するようにしているものの、コンクリートの打ち込み時の方形板の固定構造については、特に配慮されておらず、設置に手数を要することに加えて、設置の際に一般的に用い、事後に撤去する型枠やセパレータ等を必要とするか否かについても曖昧であり、一方、後者は、撤去する型枠やセパレータ等については明示するものの、セパレータがプラスチック製の捨て型枠を貫通することから、設置後の防食処理等に問題を残している。
【発明の開示】
【発明が解決しようとする課題】
【０００５】
本発明は、上記従来のコンクリート用捨て型枠の実情に鑑みてなしたもので、腐食を防ぐために槽内面に経済的な部材を用い、その設置の際の手数を省き、かつ、作業完了後において、新設、補修に限らず、槽の内面や擁壁の裏面等の耐用性を長期に亘り維持することができるコンクリート用捨て型枠を提供することを目的としている。
【課題を解決するための手段】
【０００６】
上記目的を達成するため、本発明のコンクリート用捨て型枠は、短冊状の合成樹脂製のシート状部材と、構造体側に止着される基体とからなり、前記シート状部材の裏面に、基体に嵌着係止する突条を、所定の間隔で複数設けたことを特徴とする。
【０００７】
この場合において、突条を二分割形状に形成することができる。
【０００８】
また、基体に、二分割形状に形成した突条間に挿入される突条又は突起を設けることができる。
【０００９】
また、二分割形状に形成した突条間に、排水材を配設することができる。
【００１０】
また、隣接するシート状部材の対向する縁部に、隣接するシート状部材の表面が面一の状態で係止される嵌合部を設けることができる。
【００１１】
また、隣接するシート状部材の対向する縁部を、連結材を介して接続することができる。
【００１２】
また、隣接するシート状部材の対向する縁部及び／又は連結材の周縁に、止水材又はシーリング材を配設することができる。
【００１３】
また、基体に、形鋼を用いることができる。
【発明の効果】
【００１４】
本発明のコンクリート用捨て型枠は、短冊状の合成樹脂製のシート状部材と、構造体側に止着される基体とからなり、前記シート状部材の裏面に、基体に嵌着係止する突条を、所定の間隔で複数設けることにより、シート状部材の裏面に設けた突条を基体に嵌着係止するだけでシート状部材を設置することができ、設置の際の手数を省き、施工コストを低減できるとともに、作業完了後において、シート状部材によって、新設、補修に限らず、槽の内面や擁壁の裏面等の耐用性を長期に亘り維持することができる。
【００１５】
また、突条を二分割形状に形成することにより、突条の弾力性及び可撓性を高め、突条を基体に押し込むだけで、シート状部材を基体に強固に嵌着係止することができる。
【００１６】
また、基体に、二分割形状に形成した突条間に挿入される突条又は突起を設けることにより、基体に嵌着された突条の動きを規制して、係止性能を高め、シート状部材を基体に一層強固に嵌着係止することができる。
【００１７】
また、二分割形状に形成した突条間に、排水材を配設することにより、擁壁の排水性を向上することができる。
【００１８】
また、隣接するシート状部材の対向する縁部に、隣接するシート状部材の表面が面一の状態で係止される嵌合部を設けることにより、作業性、漏水防止性、構造強度、流水性等を一層向上することができる。
【００１９】
また、隣接するシート状部材の対向する縁部を、連結材を介して接続することにより、作業性、漏水防止性、構造強度、流水性等を一層向上することができる。
【００２０】
また、隣接するシート状部材の対向する縁部及び／又は連結材の周縁に、止水材又はシーリング材を配設することにより、漏水防止性を一層向上することができる。
【００２１】
また、基体に、形鋼を用いることにより、基体を低コストで得ることができる。
【発明を実施するための最良の形態】
【００２２】
以下、本発明のコンクリート用捨て型枠の実施の形態を図面に基づいて説明する。
【実施例１】
【００２３】
図１〜図１１に、本発明のコンクリート用捨て型枠の一実施例を示す。
このコンクリート用捨て型枠は、短冊状の合成樹脂製のシート状部材１と、構造体側、例えば、鉄筋３に止着される基体２とからなり、シート状部材１の裏面に、基体２の凹部２０に嵌着係止する突条１０を、所定の間隔で複数設けるようにしている。
【００２４】
そして、このコンクリート用捨て型枠は、図１に示すように、シート状部材１の突条１０を、鉄筋３に止着された基体２の凹部２０に嵌着係止することにより、シート状部材１を隙間なく順次配設し、上水や下水等の処理槽や擁壁の構築や補修に用いられるコンクリート用捨て型枠を構成するようにしている。
【００２５】
なお、シート状部材１は、図１に示すように、上下方向に配設するほか、水平方向等の任意の方向に配設することができる。
【００２６】
このコンクリート用捨て型枠は、シート状部材１の裏面に設けた突条１０を基体２に嵌着係止するだけでシート状部材１を設置することができ、設置の際の手数を省き、施工コストを低減できるとともに、作業完了後において、シート状部材１によって、新設、補修に限らず、槽の内面や擁壁の裏面等の耐用性を長期に亘り維持することができる。
【００２７】
そして、本実施例においては、突条１０を二分割形状に形成することにより、突条１０の弾力性及び可撓性を高め、突条１０を基体の凹部２０に押し込むだけで、シート状部材１を基体に強固に嵌着係止することができるようにしている。
【００２８】
また、基体２の凹部２０の底部の中心位置に、シート状部材１に設けた二分割形状に形成した突条１０間に挿入される突条２１を設けることにより、基体２に嵌着された突条１０の動きを規制して、係止性能を高め、シート状部材１を基体２に一層強固に嵌着係止することができるようにしている。
なお、基体２の突条２１に代えて、突起を設けることもできる。
【００２９】
さらに、二分割形状に形成した突条１０間に、合成繊維不織布製等の排水材４を配設することにより、このコンクリート用捨て型枠を適用した擁壁の排水性を向上することができるようにしている。
【００３０】
ここで、シート状部材１の構成材料には、成形性等の点から熱可塑性樹脂を好適に使用でき、中でも、経済性、弾力性、可撓性、耐磨耗性等に優れたポリエチレン、ポリプロピレン等のオレフィン系樹脂やこれらの樹脂の共重合体、混合体を最適に使用できる。
なお、シート状部材１の構成材料には、このほか、接着性で優れた塩化ビニルや酢酸ビニル等のビニル系樹脂、エチレン−酢酸ビニル等のオレフィン系樹脂とビニル系樹脂との共重合体、エラストマー樹脂や変性ポリオレフィン樹脂とその混合物も好適に使用でき、また、天然、合成を問わずほとんどの公知のゴムを併用することができる。
【００３１】
シート状部材１に設ける突条１０の形状は、本実施例（図３及び図４（ａ））の二分割した突条１０を平行にした形状のほか、図４（ｂ）に示すように、二分割した突条１０の先端を閉じた形状にしたり、図４（ｃ）に示すように、二分割した突条１０の先端を開いた形状とすることができる。
また、突条１０の形状は、このほか、図５（ａ）〜（ｄ）に示すような、二分割していない形状にしたり、不完全に二分割した形状とすることができる。
【００３２】
また、基体２の構成材料には、強度的に優れた金属製のものやＦＲＰ等の強化樹脂製のものを好適に使用でき、例えば、形鋼、具体的には、帯形鋼のほか、山形鋼（Ｌ形鋼）や溝形鋼（コ形鋼）等を用いることにより、基体を低コストで得ることができる。
そして、基体２の凹部２０の形状は、本実施例（図３及び図６（ａ））の底部の中心位置に、シート状部材１に設けた二分割形状に形成した突条１０間に挿入される突条２１を設ける形状のほか、図６（ｂ）に示すように、図５（ａ）〜（ｄ）に示す突条１０に対応した、突条を設けない形状とすることができる。
【００３３】
基体２と、構造体側、例えば、鉄筋３との取り合いの例を、図７に示す。
このうち、図７（ａ）は鉄筋３に帯形鋼からなる基体２を、図７（ｂ）は鉄筋３に山形鋼（Ｌ形鋼）からなる基体２を、図７（ｃ）は鉄筋３に溝形鋼（コ形鋼）からなる基体２を、それぞれ止着したものである。
なお、基体２と、構造体側、例えば、鉄筋３との止着手段には、溶接、針金等による結束等の任意の手段を採用することができる。
また、このほか、図８に示すように、基体２を、雄ネジを切った鉄筋３に、シート状部材１に設けた二分割形状に形成した突条１０間に挿入される袋ナット状の突起２１ａを螺合することによって、止着することもできる。
【００３４】
また、図９に示すように、隣接するシート状部材１の対向する縁部に、隣接するシート状部材１の表面が面一の状態で係止される嵌合部１１ａ、１１ｂを設けることができる。  これにより、作業性、漏水防止性、構造強度、流水性等を一層向上することができる。
この嵌合部は、例えば、図１０（ａ−１）、（ａ−２）に示すように、シート状部材１の長手方向に延びる縁部に、互いに嵌合し面一で係合する嵌合部１１ａ、１１ｂをそれぞれ形成するようにしたり、図１０（ｂ）に示すように、連結材１３を介して係合される嵌合部１２ａ、１２ｂをそれぞれ形成するようにしたり、図１０（ｃ−１）、（ｃ−２）に示すように、シート状部材１の短手方向に延びる縁部に、互いに嵌合し面一で係合する嵌合部１４ａ、１４ｂをそれぞれ形成するようにしたり、図１０（ｄ）に示すように、連結材１６を介して係合される嵌合部１５ａ、１５ｂをそれぞれ形成するようにすることができる。
なお、嵌合部は、隣接するシート状部材１同士が係合状態において内面が面一であることと、十分な係合力とが必要となるが、嵌合部の構造、形状等は、特に本実施例のものに限定されるものではない。
【００３５】
また、図１１に示すように、隣接するシート状部材１の対向する縁部及び／又は連結材の周縁に、止水材５、７及びシーリング材６を配設することができる。
これにより、漏水防止性を一層向上することができる。
より具体的には、図１１（ａ）に示すように、長手方向に延びる縁部に、互いに嵌合し面一で係合する嵌合部１１ａ、１１ｂをそれぞれ形成するとともに、この嵌合部１１ａ、１１ｂに止水性能に優れた水分膨張性樹脂製の止水材５や水分硬化性のシーリング材６を配設するようにしたり、図１１（ｂ）に示すように、連結材１３を介して係合される嵌合部１２ａ、１２ｂをそれぞれ形成するとともに、連結材１３との嵌合部１２ａ、１２ｂに止水性能に優れた水分膨張性樹脂製の止水材５や水分硬化性のシーリング材６、さらには、ゴム製パッキンからなる止水材７を配設するようにすることができる。
この場合、図１１（ｂ）に示すように、隣接するシート状部材１の対向する縁部及び／又は連結材の周縁に、止水材又はシーリング材を配設するための凹溝１７を形成することができる。
なお、図１０（ｃ−１）、（ｃ−２）、（ｄ）に示すシート状部材１の短手方向に延びる縁部及び／又は連結材の周縁にも、同様に、止水材５、７及びシーリング材６を配設することができる。
【００３６】
以上、本発明のコンクリート用捨て型枠について、その実施例に基づいて説明したが、本発明は上記実施例に記載した構成に限定されるものではなく、その趣旨を逸脱しない範囲において適宜その構成を変更することができるものである。
【産業上の利用可能性】
【００３７】
また、本発明のコンクリート用捨て型枠は、腐食を防ぐために槽内面に経済的な部材を用い、その設置の際の手数を省き、かつ、作業完了後において、新設、補修に限らず、槽の内面や擁壁の裏面等の耐用性を長期に亘り維持することができることから、上水や下水等の処理槽や擁壁の構築や補修に好適に用いることができる。
【図面の簡単な説明】
【００３８】
【図１】本発明のコンクリート用捨て型枠の一実施例を示す正面図である。
【図２】シート状部材の一例を示し、（ａ）は背面図、（ｂ）は側面図である。
【図３】シート状部材の突条を基体の凹部に嵌着する工程を示す説明図である。
【図４】シート状部材の突条を示す説明図である。
【図５】シート状部材の突条を示す説明図である。
【図６】基体の凹部を示す説明図である。
【図７】被着体と鉄筋との取り合いの例を示す説明図で、左側は側面図、右側は正面図である。
【図８】シート状部材及び被着体と鉄筋との取り合いの例を示す断面図である。
【図９】シート状部材の一例を示し、（ａ）は背面図、（ｂ）は側面図である。
【図１０】隣接するシート状部材の対向する縁部の係合状態を示す説明図である。
【図１１】隣接するシート状部材の対向する縁部の係合状態を示す説明図である。
【符号の説明】
【００３９】
１    シート状部材
１０  突条
１１ａ  嵌合部
１１ｂ  嵌合部
１２ａ  嵌合部
１２ｂ  嵌合部
１３  連結材
１４ａ  嵌合部
１４ｂ  嵌合部
１５ａ  嵌合部
１５ｂ  嵌合部
１６  連結材
１７  凹溝
２    基体
２０  凹部
２１  突条
２１ａ  突起
３    鉄筋（構造体）
４    排水材
５    止水材
６    シーリング材
７    止水材
【図１】
2008127778.tif 000003
【図２】
2008127778.tif 000004
【図３】
2008127778.tif 000005
【図４】
2008127778.tif 000006
【図５】
2008127778.tif 000007
【図６】
2008127778.tif 000008
【図７】
2008127778.tif 000009
【図８】
2008127778.tif 000010
【図９】
2008127778.tif 000011
【図１０】
2008127778.tif 000012
【図１１】
2008127778.tif 000013